【手続補正書】
【提出日】平成18年1月30日(2006.1.30)
【手続補正１】
【補正対象書類名】明細書
【補正対象項目名】発明の名称
【補正方法】変更
【補正の内容】
【発明の名称】送信装置および方法、通信システム、並びに提供媒体
【手続補正２】
【補正対象書類名】明細書
【補正対象項目名】特許請求の範囲
【補正方法】変更
【補正の内容】
【特許請求の範囲】
【請求項１】  複数のチャンネルの情報を、それぞれ独立に複素平面上の信号点に割り当てる複数の割り当て手段と、
前記複数の割り当て手段から出力された複数の信号点を、それぞれのチャンネルの中心周波数に基づき周波数変換する複数の周波数変換手段と、
前記複数の周波数変換手段から出力された複数の信号を多重化する多重化手段と、
前記多重化手段により多重化された信号をOFDM信号に変調する変調手段と、
前記OFDM信号をＲＦ帯域の信号に変換して送信する送信手段と
を含む送信装置。
【請求項２】  前記割り当て手段はそれぞれ、入力された情報系列を、所定の符号化方式に従って符号化し、直交するＩ軸とＱ軸とによって規定される複素平面の直交座標空間の信号点にマッピングするマッピング手段を有する、
請求項１または２に記載の送信装置。
【請求項３】  前記マッピング手段のそれぞれは、QPSK，または、種々のQAMによる符号化方式に従って前記入力された情報をマッピングする
請求項２に記載の送信装置。
【請求項４】  前記周波数変換手段それぞれ、前記送信手段が送信するＲＦ帯域の信号の中心周波数と前記チャンネルの中心周波数とのシフト量と、ガードインターバル長に基づく移相角を累加算して求められる移相量に基づいて周波数変換する
請求項１乃至３のいずれかに記載の送信装置。
【請求項５】  前記複数の周波数変換手段それぞれは、
周波数シフト量およびガードインターバル長を入力して、これら入力した周波数シフト量およびガードインターバル長と、OFDM信号の有効シンボル期間とで規定される移相角を発生する移相角発生器と、
該移相角発生器で発生した移相角と１OFDM信号前の移相角θとを加算する加算器と、
対応する前記割り当て手段からの割り当て信号を、前記加算器からの加算結果に応じて、位相をずらす移相器と
を有する請求項４に記載の送信装置。
【請求項６】  前記移相角発生器は、下記式に基づいて、前記移相角を発生する
移相角θ＝２πΔf（Ｔ＋ΔＴ）
ただし、Δfは周波数シフト量であり、
ΔＴはガードインターバル長である
請求項５に記載の送信装置。
【請求項７】  前記移相器は、前記加算器から入力された移相角θ’を、次式に代入することにより、割り当て手段から入力された前記複素平面の直交座標における信号点を移相して、周波数変換された信号点を生成する
【数１】
2000261403.tif 000001
請求項６に記載の送信装置。
【請求項８】  複数のチャンネルの情報を、それぞれ複素平面上の信号点に割り当てる割り当てステップと、
前記複数の割り当てステップから出力された複数の信号点を、それぞれのチャンネルの中心周波数に基づき周波数変換する周波数変換ステップと、
前記周波数変換ステップから出力された複数の周波数変換信号を多重化する多重化ステップと、
前記多重化ステップで多重化された信号をOFDM信号に変調する変調ステップと、
前記OFDM信号をＲＦ帯域の信号に変換して送信する送信ステップと
を含む送信方法。
【請求項９】  送信装置と受信装置が無線回線を介して無線接続された通信システムであって、
前記送信装置は、
複数のチャンネルの情報を、それぞれ独立に複素平面上の信号点に割り当てる複数の割り当て手段と、
前記複数の割り当て手段から出力された複数の信号点を、それぞれのチャンネルの中心周波数に基づき周波数変換する複数の周波数変換手段と、
前記複数の周波数変換手段から出力された複数の信号を多重化する多重化手段と、
前記多重化手段により多重化された信号をOFDM信号に変調する変調手段と、
前記OFDM信号をＲＦ帯域の信号に変換して送信する送信手段と、
を含み、
前記受信装置は、
前記送信装置の送信手段から送信された信号を受信する受信手段と、
前記受信手段で受信した信号を、中間周波数の信号に変換する周波数変換手段と、
周波数変換された信号から、選択されたチャンネルに応じた周波数のみ抽出する周波数信号選択手段と、
選択された周波数信号を、中間周波数信号を用いて直交復調して複素座標系で規定される直交するＩ信号とＱ信号とを抽出する直交復調手段と、
該直交復調された信号を時系列信号に復調する復調手段と
を含む
通信システム。
【請求項１０】  複数のチャンネルの情報をそれぞれ複素平面上の信号点に割り当てる割り当てステップと、
前記割り当てステップから出力された複数の信号点を、それぞれのチャンネルの中心周波数に基づき周波数変換する周波数変換ステップと、
前記周波数変換ステップから出力された信号を多重化する多重化ステップと、
前記多重化ステップで多重化された信号をOFDM信号に変調する変調ステップと、
前記OFDM信号をＲＦ帯域の信号に変換して送信する送信ステップと
を含む処理を送信装置に実行させるコンピュータが読み取り可能なプログラムを提供する提供媒体。
【手続補正３】
【補正対象書類名】明細書
【補正対象項目名】０００１
【補正方法】変更
【補正の内容】
【０００１】
【発明の属する技術分野】
本発明は送信装置および方法、通信システム、並びに提供媒体に関し、特に、ガードバンドを設けなくても受信側において隣接チャンネルの影響を受けずに希望チャンネルの信号が復調できるようにする送信装置および方法、通信システム、並びに提供媒体関する。
【手続補正４】
【補正対象書類名】明細書
【補正対象項目名】０００９
【補正方法】変更
【補正の内容】
【０００９】
【課題を解決するための手段】
本発明に記載の送信装置は、複数のチャンネルの情報を、それぞれ独立に複素平面上の信号点に割り当てる複数の割り当て手段と、複数の割り当て手段から出力された複数の信号点を、それぞれのチャンネルの中心周波数に基づき周波数変換する複数の周波数変換手段と、複数の周波数変換手段から出力された複数の信号を多重化する多重化手段と、多重化手段により多重化された信号をOFDM信号に変調する変調手段と、OFDM信号をＲＦ帯域の信号に変換して送信する送信手段とを含む。
【手続補正５】
【補正対象書類名】明細書
【補正対象項目名】００１０
【補正方法】変更
【補正の内容】
【００１０】
本発明に記載の送信方法または提供媒体のプログラムは、複数のチャンネルの情報を、それぞれ複素平面上の信号点に割り当てる割り当てステップと、複数の割り当てステップから出力された複数の信号点を、それぞれのチャンネルの中心周波数に基づき周波数変換する周波数変換ステップと、周波数変換ステップから出力された複数の周波数変換信号を多重化する多重化ステップと、多重化ステップで多重化された信号をOFDM信号に変調する変調ステップと、OFDM信号をＲＦ帯域の信号に変換して送信する送信ステップとを含む。
【手続補正６】
【補正対象書類名】明細書
【補正対象項目名】００１１
【補正方法】変更
【補正の内容】
【００１１】
本発明に記載の通信システムは、送信装置と受信装置が無線回線を介して無線接続された通信システムであって、送信装置は、複数のチャンネルの情報を、それぞれ独立に複素平面上の信号点に割り当てる複数の割り当て手段と、複数の割り当て手段から出力された複数の信号点を、それぞれのチャンネルの中心周波数に基づき周波数変換する複数の周波数変換手段と、複数の周波数変換手段から出力された複数の信号を多重化する多重化手段と、多重化手段により多重化された信号をOFDM信号に変調する変調手段と、OFDM信号をＲＦ帯域の信号に変換して送信する送信手段と、を含み、受信装置は、送信装置の送信手段から送信された信号を受信する受信手段と、受信手段で受信した信号を、中間周波数の信号に変換する周波数変換手段と、周波数変換された信号から、選択されたチャンネルに応じた周波数のみ抽出する周波数信号選択手段と、選択された周波数信号を、中間周波数信号を用いて直交復調して複素座標系で規定される直交するＩ信号とＱ信号とを抽出する直交復調手段と、該直交復調された信号を時系列信号に復調する復調手段とを含む。
【手続補正７】
【補正対象書類名】明細書
【補正対象項目名】００１２
【補正方法】変更
【補正の内容】
【００１２】
本発明に記載の送信装置、送信方法、通信システム、および提供媒体においては、複数のチャンネルの情報が、それぞれ独立に複素平面上の信号点に割り当てられ、それらの信号点が、それぞれのチャンネルの中心周波数に基づき周波数変換され、それらの複数の信号が多重化され、OFDM信号に変調される。
【手続補正８】
【補正対象書類名】明細書
【補正対象項目名】００３２
【補正方法】変更
【補正の内容】
【００３２】
【発明の効果】
以上の如く本発明に記載の送信装置、送信方法、通信システム、および提供媒体によれば、複数のチャンネルの情報を、それぞれ複素平面上の信号点に割り当て、その信号点を、それぞれのチャンネルの中心周波数に基づき周波数変換し、それらの複数の信号を多重化しOFDM信号に変調するようにしたので、ガードバンドを設けなくても隣接チャンネルからの影響を受けずに希望のチャンネルの信号を得ることが可能となる。